(57)【要約】【課題】コネクタ等の電子部品の誤実装を低減することのできるプリント配線基板を提供する。【解決手段】電子部品が実装されるプリント配線基板１０の基板表面の電子部品が実装される部分に、実装されたコネクタ（電子部品）１１により覆い隠されるコネクタ１１と同形状の形状表示部１２を形成する。そして、コネクタ１１を実装する際、実装されたコネクタ１１から形状表示部１２が覆い隠されるか否かを識別することにより、コネクタ１１の誤実装を識別する。【選択図】図１
2009188156.tif 000002
【特許請求の範囲】
【請求項１】
電子部品が実装されるプリント配線基板において、
基板表面の前記電子部品が実装される部分に、実装された前記電子部品により覆い隠される前記電子部品と同形状の表示部を形成することを特徴とするプリント配線基板。
【請求項２】
前記電子部品はコネクタであり、
前記表示部の前記コネクタに取り付けられるハーネスの取り付け方向に、取り付けられる前記ハーネスにより覆い隠される他の表示部を形成することを特徴とする請求項１記載のプリント配線基板。
【請求項３】
前記表示部と及び前記他の表示部の色を、前記コネクタの色及び前記ハーネスの色とは別系統の色としたことを特徴とする請求項２記載のプリント配線基板。
【請求項４】
前記表示部及び前記他の表示部をシルク印刷により形成することを特徴とする請求項２又は３記載のプリント配線基板。
【発明の詳細な説明】
【技術分野】
【０００１】
本発明は、プリント配線基板に関し、特にプリント配線基板にコネクタ等の電子部品を実装するための構成に関する。
【背景技術】
【０００２】
従来、プリント配線基板においては、コネクタやＩＣチップ等の電子部品を実装する際、部品の種類や向きなどを間違えないように基板表面の電子部品の実装部近傍に、実装される電子部品の部品番号や、他の所要情報を表示するようにしている。そして、このような情報表示方法としては、実装される電子部品の種類に応じて色彩を変えるようにし、色彩の違いにより電子部品の識別を可能にするようにしたものがある（特許文献１参照）。
【０００３】
また、プリント配線基板の捨て領域に、実装される電子部品の部品情報をシルク印刷を用いて表記し、電子部品の識別を可能にするようにしたものがある（特許文献２参照）。
【０００４】
図６は、実装される電子部品の情報がシルク印刷で印刷された従来のプリント配線基板の平面図である。図６の（ａ）は、プリント配線基板４に実装される電子部品の情報を色と文字を使って識別させる場合を示している。そして、電子部品を実装する場合は、実装される、例えばコネクタの番号を示す回路記号１ａ，１ｂ、コネクタの色及び極数情報２ａ，２ｂに従い、コネクタを示す印刷部３ａ，３ｂに不図示のコネクタを目視にて一致させて実装する。
【０００５】
図６の（ｂ）は、プリント配線基板４の捨て領域４ａに、実装されるコネクタの情報をシルク印刷にて表示する場合を示している。そして、コネクタを実装する場合は、プリント配線基板４の捨て領域４ａに印刷されたコネクタ情報５に従い、コネクタを示す印刷部６に不図示のコネクタを目視にて一致させて実装する。
【０００６】
【特許文献１】特開２０００−１６７２０３号公報
【特許文献２】特開２０００−２８６５２８号公報
【発明の開示】
【発明が解決しようとする課題】
【０００７】
しかし、このような実装される電子部品の情報をシルク印刷にて表示する従来のプリント配線基板においては、例えば間違えて正しいコネクタよりも極数の少ないコネクタを実装することがあり、この場合、目視による識別は難しい。
【０００８】
また、複雑なシステムに用いられるプリント配線基板では実装されるコネクタの数が多く、誤挿入防止の極数分けも１ピンや２ピン程度で行っており、さらに小型化が進むコネクタでは狭ピッチ化が進み、よりその極数の違いを見極める事が難しくなる。
【０００９】
そこで、本発明は、このような現状に鑑みてなされたものであり、コネクタ等の電子部品の誤実装を低減することのできるプリント配線基板を提供することを目的とするものである。
【課題を解決するための手段】
【００１０】
本発明は、電子部品が実装されるプリント配線基板において、基板表面の前記電子部品が実装される部分に、実装された前記電子部品により覆い隠される前記電子部品と同形状の表示部を形成することを特徴とするものである。
【発明の効果】
【００１１】
本発明のように、電子部品を実装する際、実装された電子部品により、プリント配線基板表面に形成された実装される電子部品と同形状の表示部が覆い隠されるか否かを識別することにより、コネクタ等の電子部品の誤実装を低減することができる。
【発明を実施するための最良の形態】
【００１２】
以下、本発明を実施するための最良の形態について、図面を参照して詳しく説明する。
【００１３】
図１は、本発明の実施の形態にかかるプリント配線基板の斜視図であり、図１において、１０はプリント配線基板、１１はプリント配線基板１０に実装される電子機器等の一例であるコネクタである。
【００１４】
このプリント配線基板１０には金型、またドリル加工にて孔１０ａが形成されている。そして、プリント配線基板１０にコネクタ１１を実装する際には、コネクタ１１の４本の端子（ピン）１１ａを、この孔１０ａに垂直に挿入するようにする。
【００１５】
また、図１において、１２はプリント配線基板表面のコネクタ実装位置にシルク印刷にてベタで形成された形状表示部であり、この形状表示部１２はコネクタ１１の底面形状とほぼ同一な形状を有している。これにより、コネクタ１１がプリント配線基板１に実装されると、図２に示すようにコネクタ１１により形状表示部１２が覆い隠されるようになる。
【００１６】
一方、図３は、プリント配線基板１０に極数の少ない間違ったコネクタ１４が実装された状態を示す図である。ここで、極数の少ないコネクタ１４の場合は、正しいコネクタに比べてサイズが小さいため、間違ったコネクタ１４がプリント配線基板１０に実装されると、正しいコネクタとほぼ同一形状な形状表示部１２が間違ったコネクタ１４からはみ出す。
【００１７】
そして、このように間違ったコネクタ１４を実装したとき、形状表示部１２がコネクタ１４からはみ出すようにすることにより、プリント配線基板１０に正しいコネクタが実装されたか否かを識別することができる。なお、この識別は目視によっても可能であるが、形状表示部１２のはみ出しを画像により認識する画像認識装置を備えた自動認識装置によって行うことができる。
【００１８】
なお、図４は、このような自動認識装置によるコネクタ認識動作を説明するフローチャートである。
【００１９】
自動認識装置によってコネクタ認識を行う場合は、まずコネクタを手作業、もしくは不図示の実装装置によりプリント配線基板に実装し、コネクタが実装されたプリント配線基板を画像認識装置にセッティングする（Ｓ１０１）。次に、画像認識装置により、コネクタ部において形状表示部１２のはみ出しの有無を調べる（Ｓ１０２）。
【００２０】
ここで、形状表示部１２のはみ出しがあった場合（Ｓ１０２のＹ）、間違ったコネクタ１４が実装されたと判断する。この場合は、コネクタの取り外しを行い（Ｓ１０３）、正しいコネクタの実装を行う。また、形状表示部１２のはみ出しがなかった場合には（Ｓ１０２のＮ）、この後、コネクタのハンダ付けを行う（Ｓ１０４）。
【００２１】
以上説明したように、コネクタを実装する際、実装されたコネクタにより、コネクタが実装される部分に形成された形状表示部１２が覆い隠されるか否かを識別することにより、コネクタの誤実装を低減することができる。
【００２２】
なお、本実施の形態においては、図５の（ａ）に示すように、形状表示部１４に、コネクタに挿入されるハーネスの取り付け方向（コネクタの右方向）にはみ出したハーネス表示部１８を形成するようにしている。そして、このように形状表示部１２に他の表示部であるハーネス表示部１８を設けることにより、コネクタ１１にハーネス１９が挿入された際に、図５の（ｂ）に示すようにハーネス表示部１８がハーネス１９により覆い隠される。
【００２３】
これにより、コネクタ１１にハーネス１９を挿入し忘れた場合、ハーネス表示部１８が露出し目視や自動認識装置により識別を容易に行う事ができる。さらにハーネス表示部１８をコネクタ１１やハーネス１９と同系色ではない、別系統の色にすることで、より一層識別をしやすくすることができる。
【図面の簡単な説明】
【００２４】
【図１】本発明の実施の形態にかかるプリント配線基板の斜視図。
【図２】上記プリント配線基板に正しいコネクタが実装された状態を示す斜視図。
【図３】上記プリント配線基板に間違ったコネクタが実装された状態を示す斜視図。
【図４】自動認識装置によるコネクタ認識動作を説明するフローチャート。
【図５】上記プリント配線基板の他の構成を説明する図。
【図６】従来のプリント配線基板の平面図。
【符号の説明】
【００２５】
１０    プリント配線基板
１１    コネクタ
１２    形状表示部
１４    間違ったコネクタ
１８    ハーネス表示部
１９    ハーネス
【図１】
2009188156.tif 000003
【図２】
2009188156.tif 000004
【図３】
2009188156.tif 000005
【図４】
2009188156.tif 000006
【図５】
2009188156.tif 000007
【図６】
2009188156.tif 000008